(57)【要約】      （修正有） 【課題】ハイキューブタイプのコンテナーに対する合理的適用を可能とする柱体の長さ寸法の確保が、その折畳み上の阻害性を生じさせること無く可能化されるように構成した柱パレットを提供する。【解決手段】矩形枠状を呈する底板の四隅に、平面コ字状を呈する柱体支持用脚体２をその開放面を内側に向けた状態で固設し、底板上に倒すことが出来る程度の長さを具えかつ側壁材を取り付けるための柱体４を、前記柱体支持用脚体２に対して昇降かつ倒伏自在に支持すると共に、底板の上面より所定高さに浮かせた状態での固定化が図られるように構成した折畳可能な柱パレット。【選択図】図１
0003157439.tif 000002
【実用新案登録請求の範囲】
【請求項１】
矩形枠状を呈する底板(１)の四隅に、平面コ字状を呈する柱体支持用脚体(２)をその開放面を内側に向けた状態で固設し、底板(１)上に倒すことが出来る程度の長さを具えかつ側壁材を取り付けるための柱体(４)を、前記柱体支持用脚体(２)に対して昇降かつ倒伏自在に支持すると共に、底板(１)の上面より所定高さに浮かせた状態での固定化が図られるように構成した折畳可能な柱パレット。
【請求項２】
矩形枠状を呈する底板(１)の四隅に、平面コ字状を呈する柱体支持用脚体(２)をその開放面を内側に向けた状態で固設すると共に、後記ストッパーピン(９)の案内をするためのカム用傾斜縁(8ｂ)を内がわ側縁に形成したガイド板(８)を、当該柱体支持用脚体(２)に固設し、    
前記支持用脚体(２)の前後面には縦長孔(2ｂ)を対称的に開設すると共に、当該縦長孔(2ｂ)の下端は底板(１)の上面寄りに臨まされかつ上端は下記する柱体(４)を底板(１)の上面より必要高さ分だけ浮かした状態に移動することが出来る位置に臨まされるように構成し、
底板(１)上に倒すことが出来る程度の長さを具えかつ側壁材を取り付けるための柱体(４)を、その下端に取り付けた案内ピン(4ａ)を上記縦長孔(2ｂ)内に回転かつ摺動自在に嵌入させることによって、当該柱体(４)の下端部の動きを昇降かつ回動自在に制御されるように成し、
更に、当該柱体(４)の所定位置に貫通状に固設したストッパーピン(９)を、当該柱体(４)の昇降を伴う起立及び倒伏時の動きの案内を行わせるために前記カム用傾斜縁(8ｂ)に接しさせると共に、柱体(４)が所定の起立状態に移動した際に当該ストッパーピン(９)を受け止めることによって、柱体(４)を所定の高さ分だけ浮かせた位置で固定するための受け溝を、支持用脚体(２)及びガイド板(８)の重合頂部に形成したことを特徴とする折畳可能な柱パレット。
【請求項３】
底板(１)の前面及び背面に取付けられかつ当該底板(１)の前半及び後半部分にそれぞれ二つ折り状態で折畳み可能とする開閉壁(７)を、所定の高さに上昇させた状態で柱体(４)に対する固定が成されるように構成した請求項１または請求項2の何れかに記載の折畳可能な柱パレット。
【請求項４】
折畳み自在な上半部壁(7ｂ)と下半部壁(7ａ)から成る開閉壁(７)を、上昇状態に固定化されている柱体(４)に対し、その下半部壁(7ａ)の上端寄り両側部に固設した掛止め用突起片(7ｄ)を、柱体(４)の対応部に設けた掛止め用凹溝金具(7ｅ)に対して引っ掛けることにより、着脱自在の安定化を図り、上半部壁(7ｂ)は上端部に設けたカンヌキ杆(7c)を柱体(４)側に突入させることに依って開閉自在な掛止めを図り、
水平杆部(10ａ)を具えた引っ掛け金具(10)を底板(１)の端縁両側部寄り対称位置に起伏自在に取り付け、当該引っ掛け金具(10)の水平杆部(10ａ)を摺動自在に嵌入させたスリットを具えたスリット片(11)を開閉壁(７)における下半部壁(7ａ)の下縁に取付け、当該スリットの長さは、当該開閉壁(７)の上端縁を、上昇状態に固定化されている柱体(４)に対し、その上端に掛止め可能とする位置までの押上げが許容化される程度の長さを具えたものとするように設定し、
開閉壁(７)を内方に倒した際にスリット片(11)を滑らせて開閉壁(7)を前方に寄せ動かすと同時に、下半部壁(7ａ)の上方に上半部壁(7ｂ)を重ねるように折畳むことによって、当該二つ折り状態の開閉壁(７)が、底板(２)の半分の部分に位置させた状態で折畳まれるよう構成した請求項１乃至請求項３の何れかに記載した折畳可能な柱パレット。
【考案の詳細な説明】
【技術分野】
【０００１】
本考案は、主としてコンテナー内に積み重ね状態で収容して製品輸送を行うための折畳可能な柱パレットに関するものである。
【背景技術】
【０００２】
従来、輸送用コンテナーとしてスタンダードタイプのものが用いられており、これに収容するための柱パレットも当該コンテナー高さに即応した寸法のものが用い入られていた。  然し乍、近年、輸送の合理化及び大型トラックの採用に基づき、その高さ寸法をスタンダードタイプのものより高く設定したハイキューブタイプのコンテナーが広く採用されるようになってきた。  特に輸出用として用いられるコンテナーにおいては、このような傾向は顕著である。
【０００３】
然し乍、上記ハイキューブタイプのコンテナーに対して、既存の柱パレットを縦に積み上げて収容した場合（通常は２ 台の柱パレットを縦積みする）、コンテナー上方に空間が生じてしまうこととなる。  従って、ハイキューブタイプのコンテナーに対応する柱パレットの供給が求められるようになってきた。
【０００４】
一方、上記した柱パレットであるが、製品輸送後の戻し輸送に際しては、扁平状態に折畳んだ形態でコンテナー内に積載して（通常は８段の縦積み積載）行うことを通例とするため、当該柱パレットは折畳み自在とすることが絶対的な条件とされた。
【０００５】
然るに、従来の折畳み自在とする柱パレットは、その折畳み時に四隅の柱体を底板上に水平状体で倒す関係上、当該柱体の長さは限定化されることを余儀なくされた。
【０００６】
すなわち、従来の柱パレットは図１４に示すように、底板の四隅に取り付けた案内筒Ｂの底部ｂに対して、柱体Ａの下端を接触させた状態、すなわち、柱体Ａの立ち上がりの安定化を図るために、柱体Ａの下端が底部ｂに当たった状態で立ち上がらせ、そして、これの折りたたみに際しては、やや引上げた状態で倒すことによってパレット底板Ｃ上に水平状体で倒すように構成したものであった（例えば特許文献１参照）。  従って、この場合、柱体Ａの長さは、パレット底板Ｃの横幅以内の長さに設定することにより、これを水平状体に折畳むことが出来るように構成したものであった。
【０００７】
【特許文献１】実開昭５９−８９８２９号公報
【考案の開示】
【考案が解決しようとする課題】
【０００８】
上述したような形態の柱パレットであると、その柱の高さはパレット底板Ｃの寸法に規制されることとなる。  従って、ハイキューブタイプのコンテナーに対応可能とするように、柱の高さ寸法を単純に長く設定した場合、図１５に示すように、柱体Ａを倒した際にその先端が他側に当たってしまい、これを水平状体で折畳むことが出来ず、山形状の折り畳み状態となってしまうことを余儀なくされた。
【０００９】
このような事態発生を回避するためには、柱体の長さに対応させてパレット底板Ｃの横幅を広くすればよいと考えられるが、パレット底板Ｃの寸法は、これが各種バラバラであると積み込み及び積み重ね上の齟齬を生じるための、所定の寸法に統一されており、従って、柱パレットの高さ寸法だけを高くした柱パレットの提供は困難視されていたのが実情である。
【００１０】
本考案はこのような問題の解決化を図り、ハイキューブタイプのコンテナーに対する合理的適応が可能とする柱体の長さ寸法の確保が、その折畳み上の阻害性を生じさせること無く可能化されるように構成した新規の柱パレットの提供を図ったものである。
【課題を解決するための手段】
【００１１】
本考案は請求項１に記載のように、矩形枠状を呈する底板１の四隅に、平面コ字状を呈する柱体支持用脚体２をその開放面を内側に向けた状態で固設し、底板１上に倒すことが出来る程度の長さを具えかつ側壁材を取り付けるための柱体４を、前記柱体支持用脚体２に対して昇降かつ倒伏自在に支持すると共に、底板１の上面より所定高さに浮かせた状態での固定化が図られるように構成した折畳可能な柱パレットに係る。  
【００１２】
また、本考案は請求項２に記載のように、矩形枠状を呈する底板１の四隅に、平面コ字状を呈する柱体支持用脚体２をその開放面を内側に向けた状態で固設すると共に、後記ストッパーピン９の案内をするためのカム用傾斜縁8ｂを内がわ側縁に形成したガイド板８を、当該柱体支持用脚体２に固設し、前記支持用脚体２の前後面には縦長孔2ｂを対称的に開設すると共に、当該縦長孔2ｂの下端は底板１の上面寄りに臨まされかつ上端は下記する柱体４を底板１の上面より必要高さ分だけ浮かした状態に移動することが出来る位置に臨まされるように構成し、底板１上に倒すことが出来る程度の長さを具えかつ側壁材を取り付けるための柱体４を、その下端に取り付けた案内ピン4ａを上記縦長孔2ｂ内に回転かつ摺動自在に嵌入させることによって、当該柱体４の下端部の動きを昇降かつ回動自在に制御されるように成し、更に、当該柱体４の所定位置に貫通状に固設したストッパーピン９を、当該柱体４の昇降を伴う起立及び倒伏時の動きの案内を行わせるために前記カム用傾斜縁8ｂに接しさせると共に、柱体4が所定の起立状態に移動した際に当該ストッパーピン９を受け止めることによって、柱体4を所定の高さ分だけ浮かせた位置で固定するための受け溝を、支持用脚体２及びガイド板８の重合頂部に形成したことを特徴とする折畳可能な柱パレットに係る。
【００１３】
本考案は請求項３に記載のように、底板１の前面及び背面に取付けられかつ当該底板１の前半及び後半部分にそれぞれ二つ折り状態で折畳み可能とする開閉壁７を、所定の高さに上昇させた状態で柱体４に対する固定が成されるように構成した請求項１または請求項2の何れかに記載の折畳可能な柱パレットを実施の態様とする。
【００１４】
本考案は請求項４に記載のように、折畳み自在な上半部壁7ｂと下半部壁7ａから成る開閉壁７を、上昇状態に固定化されている柱体４に対し、その下半部壁7ａの上端寄り両側部に固設した掛止め用突起片7ｄを、柱体４の対応部に設けた掛止め用凹溝金具7ｅに対して引っ掛けることにより、着脱自在の安定化を図り、上半部壁7ｂは上端部に設けたカンヌキ杆7cを柱体４側に突入させることに依って開閉自在な掛止めを図り、水平杆部10ａを具えた引っ掛け金具10を底板１の端縁両側部寄り対称位置に起伏自在に取り付け、当該引っ掛け金具10の水平杆部10ａを摺動自在に嵌入させたスリットを具えたスリット片11を開閉壁７における下半部壁7ａの下縁に取付け、当該スリットの長さは、当該開閉壁７の上端縁を、上昇状態に固定化されている柱体４に対し、その上端に掛止め可能とする位置までの押上げが許容化される程度の長さを具えたものとするように設定し、開閉壁７を内方に倒した際にスリット片11を滑らせて開閉壁7を前方に寄せ動かすと同時に、下半部壁7ａの上方に上半部壁7ｂを重ねるように折畳むことによって、当該二つ折り状態の開閉壁７が、底板２の半分の部分に位置させた状態で折畳まれるよう構成した請求項１乃至請求項３の何れかに記載した折畳可能な柱パレットを実施の態様とする。
【考案の効果】
【００１５】
本考案は請求項１に記載のように、矩形枠状を呈する底板１の四隅に、平面コ字状を呈する柱体支持用脚体２をその開放面を内側に向けた状態で固設し、底板１上に倒すことが出来る程度の長さを具えかつ側壁材を取り付けるための柱体４を、前記柱体支持用脚体２に対して昇降かつ倒伏自在に支持すると共に、底板１の上面より所定高さに浮かせた状態での固定化が図られるように構成したから、柱体４は折畳み時に底板１上に倒すことが出来る長さのものを用いるも、起立時には上方に引上げた状態に保持させることにより、丈高な柱体として機能することとなる。  従って、通常のコンテナーより背の高いハイキューブタイプのコンテナーに対して、極めてすっきりとした形態での柱パレットの収容が可能化される。
【００１６】
すなわち、従来のパレットであると柱体の高さがレギュラータイプのコンテナーに合せてあるため、これをハイキューブタイプのコンテナーに積み込んだ場合、その丈低性からコンテナーの上方部分に無駄な空間が生じてしまうという問題、並びに、丈高な柱体を用いた場合はこれの折畳みに齟齬をきたす（図15参照）というような問題が生じるが、本考案にあってはこのような問題が全く解消化されることとなる。  すなわち、本考案に係るパレットは、組立て時には柱体が高くなるにもかかわらず、折畳み時には通常のパレットと同様に扁平状態に折畳むことが出来るため、このような輸送上の効率化が図られるわけである。
【００１７】
そして、本考案に係る柱パレットは、使用時には丈高なパレットとなるにも係わらず、折畳み時には通常のパレットと同様な高さとなるため、使用後の返還輸送に際しても、ハイキューブタイプのコンテナーを用いることにより、多くのパレットの収容の可能化に基づく輸送コストの低減化が図られる。  換言すれば、丈高なパレットとして機能するにも拘らず、折りたたみ時には通常のパレットと同じ大きさに扁平化可能とされ、従って、コンテナーに対する収容上のスペース的増大化を招くことが無い。
【００１８】
本考案は請求項１に記載のように、矩形枠状を呈する底板１の四隅に、平面コ字状を呈する柱体支持用脚体２をその開放面を内側に向けた状態で固設すると共に、後記ストッパーピン９の案内をするためのカム用傾斜縁8ｂを内がわ側縁に形成したガイド板８を、当該柱体支持用脚体２に固設し、前記支持用脚体２の前後面には縦長孔2ｂを対称的に開設すると共に、当該縦長孔2ｂの下端は底板１の上面寄りに臨まされかつ上端は下記する柱体４を底板１の上面より必要高さ分だけ浮かした状態に移動することが出来る位置に臨まされるように構成し、底板１上に倒すことが出来る程度の長さを具えかつ側壁材を取り付けるための柱体４を、その下端に取り付けた案内ピン4ａを上記縦長孔2ｂ内に回転かつ摺動自在に嵌入させることによって、当該柱体４の下端部の動きを昇降かつ回動自在に制御されるように成し、更に、当該柱体４の所定位置に貫通状に固設したストッパーピン９を、当該柱体４の昇降を伴う起立及び倒伏時の動きの案内を行わせるために前記カム用傾斜縁8ｂに接しさせると共に、柱体4が所定の起立状態に移動した際に当該ストッパーピン９を受け止めることによって、柱体4を所定の高さ分だけ浮かせた位置で固定するための受け溝を、支持用脚体２及びガイド板８の重合頂部に形成するように構成したから、請求項１に記載したような作用効果を奏することとなる。
【００１９】
同時に、柱体４の「押し上げ」及び「倒伏」作動が、「柱体４を、その下端に取り付けた案内ピン4ａを上記縦長孔2ｂ内に回転かつ摺動自在に嵌入させることによって、当該柱体４の下端部の動きを昇降かつ回動自在に制御されるように」構成したことにより、極めて円滑かつ確実に行われることとなる。  更に、「ストッパーピン９を、当該柱体４の昇降を伴う起立及び倒伏時の動きの案内を行わせるために前記カム用傾斜縁8ｂに接しさせる」ことにより、柱の押上げ操作は、当該ストッパーピン９がカム用傾斜縁8ｂ接触しているため、柱体４の重量の一部をカム用傾斜縁8ｂで受け止めていることとなるため、柱の押上げ操作に要する人力の軽減化が図られると共に、これに際する操作のスムーズ化に大きく貢献することとなる。
【００２０】
本考案は請求項３に記載のように、底板１の前面及び背面に取付けられかつ当該底板１の前半及び後半部分にそれぞれ二つ折り状態で折畳み可能とする開閉壁７を、所定の高さに上昇させた状態で柱体４に対する固定が成されるように構成することにより、柱体４の押上げに比例した開閉壁７の上昇が図られ、当該開閉壁７の上端縁が柱体4の高さに即した位置に合せることが可能化される。
【００２１】
本考案は請求項４に記載のように、折畳み自在な上半部壁7ｂと下半部壁7ａから成る開閉壁７を、上昇状態に固定化されている柱体４に対し、その下半部壁7ａの上端寄り両側部に固設した掛止め用突起片7ｄを、柱体４の対応部に設けた掛止め用凹溝金具7ｅに対して引っ掛けることにより、着脱自在の安定化を図り、上半部壁7ｂは上端部に設けたカンヌキ杆7cを柱体４側に突入させることに依って開閉自在な掛止めを図り、水平杆部10ａを具えた引っ掛け金具10を底板１の端縁両側部寄り対称位置に起伏自在に取り付け、当該引っ掛け金具10の水平杆部10ａを摺動自在に嵌入させたスリットを具えたスリット片11を開閉壁７における下半部壁7ａの下縁に取付け、当該スリットの長さは、当該開閉壁７の上端縁を、上昇状態に固定化されている柱体４に対し、その上端に掛止め可能とする位置までの押上げが許容化される程度の長さを具えたものとするように設定し、開閉壁７を内方に倒した際にスリット片11を滑らせて開閉壁7を前方に寄せ動かすと同時に、下半部壁7ａの上方に上半部壁7ｂを重ねるように折畳むことによって、当該二つ折り状態の開閉壁７が、底板２の半分の部分に位置させた状態で折畳まれるように構成することにより、請求項３に記載のような作用を呈する開閉壁７の提供が具体化されると同時に、開閉壁７の極めて円滑かつ確実なる引上げ及び折畳みを図ることが出来る。
【考案を実施するための最良の形態】
【００２２】
図１は本考案に係る柱パレットの一部切欠正面図、図２は同上側面図であって、同図に示すような組立て状態から扁平状に折り畳むことによって、図３に示すように積み重ねることが出来るように構成されている。  なお、このような折畳み状態で積み重ね可能とするようにした構成は、この種柱パレットの共通する構成に属するものである。
【００２３】
図１及び図２において、１は所定寸法を具えた矩形枠状を呈する底板であって、網板等を張設することによって製品の載置用面として機能するものである。  ２は平面コ字状を呈する柱体支持用脚体であって、底板１の四隅に対してその開放面を内側に向けた状態で固設してある。
【００２４】
2ａは当該脚状案内角筒２の下面に固設した接続用突起であって、図３に示すような折畳み状態での積み重ね時のズレ止め用連結子としての役割を担うものである。  ３は載置用ソリであって、前後に対向する柱体支持用脚体２間に架設してある（図２参照）。
【００２５】
４は角柱状を呈する柱体であって、前記した柱体支持用脚体２に対してそれぞれ内側方向に折畳み自在とするように取り付けられている。  なお、本考案は当該折畳み自在の取り付け構成を考案の第１の要部技術とするものであり、当該構成に関しては後で詳しく説明する。
【００２６】
５,５は側壁材であって、四隅に立設される柱体において、右側の前後柱体間、および左側の前後柱体間に取り付けることによって、左右の側壁が形成されるように構成してある。
【００２７】
７は正面側の開閉壁であって、下半部壁7ａの上方に上半部壁7ｂを開閉自在に蝶着してある。そして、製品等の収容は主として当該上半部壁7bを手前に開くことによって行うように構成してある。7cは上半部壁7bの上縁両側部に取り付けたカンヌキ杆であって、柱体４側に設けた係合金具に対して着脱自在に掛け止めることによって、上半部壁7bの開閉制御を司るように構成してある。  7ｄは下半部壁7ａの上端寄り両側部に固設した掛止め用突起片であって、柱体４側に設けた掛止め用凹溝金具7ｅに対して引っ掛けることにより、その着脱自在の安定化が図られるように構成してある。
【００２８】
また、図面には表れていないが、上記した正面側の開閉壁７と同一形態を具えた背面側開閉壁が背面側に位置する柱体に対して、前記と同様な手段で取り付けられるように構成してある。
【００２９】
そして、本考案にあっては、当該開閉壁７の開閉制御機構を考案の第２の骨子的構成とするものであり、これに関しては後で詳しく説明する。
【００３０】
ところで、図面に示す実施例にあっては、側壁材５及び開閉壁７を網材で形成することによって、所謂「網パレット」としてあるが、これを所要の板材を用いることにより所謂「箱パレット」とするように構成しても良い。  すなわち、本考案にあっては柱体４及び開閉壁７の折畳み形態に考案としての特徴を有するものであり、パレット自体の形態に関しては特に制限性は存在しない。
【００３１】
次に、本考案の第１の技術的要部とする柱体４の支持用脚体２に対する取り付け構成に関して説明する。  これは図４に示すように、平面コ字状を呈する支持用脚体２の前後面に縦長孔2ｂを対称的に開設してある。  そして、当該縦長孔2ｂの下端は底板１の上面寄りに臨まされると共に、その上端は、柱体４を底板１の上面より必要高さ分だけ浮かした状態に移動することが出来る程度の位置に臨まされるように構成してある。
【００３２】
また、上記した縦長孔2aには、後述するように柱体４の下端に取り付けた案内用ピン4ａを回転かつ摺動自在に嵌入させることによって、当該柱体４の下端部の動きを制御するように構成してある。  更に、当該支持用脚体２の上縁中央部には、後述する柱体に設けたストッパーピン９を掛け止めるための受け止め溝2ｃが形成されている。
【００３３】
８は上記した支持用脚体２の外面側に張設したガイド板であって、その上縁には、前記した受け止め溝2ｃと重合かつ共同して柱体４のストッパーピン９を掛け止めるための受け溝8ａを形成すると共に、その内がわ側縁には柱体４のストッパーピン９を案内して上記受け止め溝2ｃ及び受け溝8ａの重合部分に受け入れさせるような案内を行うためのカム用傾斜縁8ｂが形成されている。
【００３４】
９は柱体４の下端寄り所定箇所に貫通させるように取り付けたストッパーピンであって（図５参照）、柱体４を水平に倒した状態において、当該ストッパーピン９はカム用傾斜縁8ｂに接触した状態に位置するように構成してある。  そして、柱体４を垂直状態に起こす際に、当該ストッパーピン９はカム用傾斜縁8ｂに接触状態を保たせた状態で行なわれることにより、当該柱体４を上方に引上げながら立ち上がらせることが出来るように構成してある。
【００３５】
図６乃至図９は柱体４の立上り状態から水平折畳み状態への変位行程を表したものである。
すなわち、図６に示すように柱体４が立ち上がった状態においては、図１４に示す従来位置より距離Ｌだけ上昇させられた状態を保つこととなる。  すなわち、柱体４の下端は案内ピン4ａが縦長孔2aに係合していることによる下端安定性保持作用と、ストッパーピン９が受け止め溝2ｃ及び受け溝8ａに入り込むことによる係止作用に基づき、確固たる安定状態に保たれている。  そして、このような上昇させられた状態での安定化に基づき、当該柱体４はその長さ寸法を増すことなく、丈高性が保たれることとなる。
【００３６】
折畳みに際しては、図７に示すように柱体４をやや引き上げることによって、ストッパーピン９の上記係止作用を解消させる。  然る後、図８に示すように当該ストッパーピン９をカム用傾斜縁8ｂに接触させながら柱体４を倒し方向に回転させ、図９に示すように水平倒伏化させる。  この時、柱体４の下端に設けた案内用ピン4ａは、前記縦長孔2aの上方よりから下方よりに移動するため、当該柱体４はその先端が他側に引っ掛かることなく水平状態とすることができる。そして、反対側（正面図に於いて左側）の柱体４を同様にして倒せば、前記のように水平状体に倒された右側の柱体の上方に水平状態で倒されることとなる。  そして、右側の柱体と左側の柱体との重ね合わせに基づく高さ位置は、縦長孔2ａ内における案内用ピン4ａの移動性に基づき調節され、完全平行化状態での重ね合わせ目的が達成されることとなる。
【００３７】
すなわち、組立て時に柱体４を引上げてその高さを増すことにより、ハイキューブタイプのコンテナーに対する積み込み上最適とする高さに設定することが出来るにも係わらず、柱体４自体の長さは通常のものと同一長さであるため、その折畳みに際しては、当該柱体４は下方に引下げられることにより、従来と同様な水平状体を保った折畳みが許容化されることと成る。
【００３８】
次に、本考案の第２の技術的要部とするところは、開閉壁７の取付け構成にある。  すなわち、前述したように柱体４を上方に引上げた状態で立ち上がらせる関係上、これに固定化するための開閉壁7もこれに即した高さを有することが要求される。  然し乍、単純に高さを増した場合は、折畳み状態に転化した際に、底板２上に水平状態で折畳むことが出来なくなってしまう。  何故ならば、当該開閉壁は、正面側はこれを二つ折りした状態で底板２の前半部分重ねられ、これにより背面側の開閉壁を二つ折りして折畳んだ際に、正面側のものと重ね合わされること無く、互いの先端縁を合致させた状態、すなわち、両者で水平面を形成するような状態で畳み込まれることが重要である。  然るに、開閉壁７の高さ寸法を大きくした場合は、このような折畳み形態を採ることが出来ず、その端部が山状に重なってしまうからである。
【００３９】
そこで、本考案は下記のような構成を採用することにより、上記のような問題を解決したことを第２の技術的要部とするものである。
【００４０】
図１において、10は水平杆部10ａを具えた引っ掛け金具であって、底板１の端縁両側部寄り対称位置に起伏自在に取り付けてある。  11は当該引っ掛け金具10の水平杆部10ａを摺動自在に嵌入させるためのスリットを具えたスリット片であって、開閉壁７における下半部壁7ａの下縁に取り付けてある。  そして、当該スリット片11は、当該開閉壁７の上端縁を、既述したように上昇状態に固定化されている柱体４に対し、その上端に対応可能（掛止め可能）とする位置までの押上げが許容化される程度のスリット長さを具えたものとするように設定してある。
【００４１】
12は上記したスリット片11の内側方に垂設したストッパー枠、13は当該ストッパー枠12をその前面側で抑止するための抑止片であって、底板1の端縁部中央に突設してある。  そして、図１に示すような開閉壁７の立上り状態（組立て状態）にあっては、当該ストッパー枠12は当該抑止片13によって前方に迫出すような動きを阻止している。  また、当該開閉壁7を折りたたみのために図10に示すように引上げた際、当該阻止が解かれるように構成してある。  なお、引き上げ高さは、スリット片11のスリット長さによって規制されるように構成されている。そしてこのような引上げ操作は、下半部壁7ａの上端寄り両側部に固設した掛止め用突起片7ｃを、柱体４側に設けた掛止め用凹溝金具7ｄに対する引っ掛け的止め着を解消（離脱）させるためである。
【００４２】
図１１乃至図１３は当該開閉壁７の折畳み行程を表したものであって、図１１に示すような組立て状態に於いて、上記のように開閉壁７全体を持ち上げることによって、掛止め用突起片7dを柱体４側に設けた掛止め用凹溝金具7eから離脱させ（この時、カンヌキ杆7cの掛止めは外しておくものとする）、そして、図12に示すように開閉壁７を内方に倒す。然る後、図13に示すようにスリット片11を滑らせて開閉壁7を前方に寄せ動かすと同時に、下半部壁7ａの上方に上半部壁7ｂを重ねるように折畳めば、当該二つ折り状態の開閉壁７は、底板２の半分の部分に位置させた状態で折畳まれることとなる。  従って、背面側の開閉壁も同様にして折畳むことにより、正面側のものと山型状に重ね合わされること無く、互いの先端縁を合致させた状態、すなわち、両者で水平面を形成するような状態で畳み込まれることとなる。
【００４３】
なお、このような開閉壁７の折畳み操作は、前述した柱体４の折りたたみに先行して行い、折畳み状態にある前後の開閉壁の上に、左右の柱体に取り付けられた側壁が重ねられるように折畳まれるように構成してある。（図２参照）
【００４４】
14は底板１の前後縁に付設したベルト挿通用金具であって、収容製品の補助的固定化を図るための締着用ベルトを挿通させるためのものである。
【００４５】
上記のような構成を有する本考案に係るパレットは、図１及び図２に示すような組立て状態においては、柱体４及び開閉壁７は既述したように上方に引上げられた状態に保たれているため、パレットとしての高さの伸長化が図られた状態となるように設定してある。  換言すると、サイズの大きいハイキューブタイプのコンテナーに対して所要段数重ねた状態（通常は２段）で積載した場合に、積み込み上最適とする高さ（上方に無駄な空間が生じることがない高さ）に、当該伸長化の設定を施しておくことができるわけである。
【００４６】
次に、上記した組立て状態にあるパレットの折りたたみに際しては、先ず、カンヌキ杆7cの掛止めは外すと共に、開閉壁７をやや持ち上げることに依って、柱体４側に設けた掛止め用凹溝金具7ｄからの離脱を図る。  然る後、これを二つ折りしながらパレットの内面側に倒すと共に、図１３に示すようにスリット片11を滑らせて開閉壁7を前方に寄せ動かすことによって、当該二つ折り状態の開閉壁７は、底板２の半分の部分に位置させた状態で折畳まれることとなる。
【００４７】
このような作業を背面側の開閉壁に対しても施すことにより、両開閉壁は底板１上にその上面が平坦化された状態での折畳みが成されることとなる。  そして、既述した開閉壁の「高さの伸長化」は、上記した「スリット片11を滑らせて開閉壁7を前方に寄せ動かす」作業に基づき解消され、当該開閉壁は通常の開閉壁と同様な大きさとしての折り畳みが可能化されるために、規格化された大きさの底板１であって、正面側及び背面側の開閉壁がぶつかることなくその折畳みが成されることとなる。
【００４８】
次に、正面から見て右側で対を成す柱体４をやや持ち上げた後に内方に倒すことにより、上記折畳み状態にある開閉壁７上に重ねれば、当該柱体に取り付けられている側壁材５も同時に倒されて重ね状態に転化される。  そして、正面から見て左側で対を成す柱体４に対しても同様な作業を施すことによって、前記倒伏状態にある右側の柱体の上面に積み重ねることにより、パレットと折畳み作業は完了する。  そして、柱体の「高さの伸長化」は浮かせた状態での支持に基づくものであるため、これを倒すことにより「浮かせた」部分は単に「取付け高さ」としてだけのものとなり、その長さ自体は既存のパレットのものと変わらず、従って、このような倒伏状態においては、通常の柱体と同様に底板１の寸法と合致しているため、山形状に重ね合わされるようなことなく平坦状折り畳みがなされる。  そして、上記した「取り付け高さ」の変更は「縦長孔2ｂ」内を滑らせることによってフレキシブル化され、従って、倒伏状態にある柱体は互いに隙間無く重合させるような高さ的位置変更が出来るため、開閉壁を含めて全てをぴったりとした折畳み状態とすることができる。
【００４９】
そして、このような折畳み状態に於いての輸送（パレットだけの返送的輸送）際しては、これを図３に示すように積み重ねた状態で、ハイキューブタイプのコンテナーに収容すれば、通常のコンテナーの場合が８段程度の積み重ねであったのを、１０段程度の積み重ねが可能化されるため、その輸送コストの低減化が図られる。
【００５０】
以上に基づき、本考案に係るパレットの目的とする、ハイキューブタイプのコンテナーの合理的利用に適合させると言う新規構造に基づき、輸送コストの経済性の向上がなされることとなる。
【図面の簡単な説明】
【００５１】
【図１】本考案に係るパレットの一部切欠正面図である。
【図２】本考案に係るパレットの側面図である。
【図３】本考案に係るパレットの折畳み状態での積み重ね形態を表した説明用正面図である。
【図４】柱体４の取り付け要部構成を表した説明用正面図である。
【図５】柱体４の取り付け端部を表した平面図である。
【図６】組立て状態にある柱体部分の説明用正面図である。
【図７】図６の状態から柱体をやや持ち上げた状態を表した説明用正面図である。
【図８】図７の状態から柱体をやや倒した状態を表した説明用正面図である。
【図９】図８の状態から柱体を完全に倒した状態を表した説明用正面図である。
【図１０】開閉壁を上方一杯に引上げた状態を表した説明用正面図である。
【図１１】開閉壁の組立て状態を表した要部の説明用拡大側面図である。
【図１２】開閉壁を折り畳みのために倒した状態を表した要部の説明用拡大側面図である。
【図１３】図12の状態から開閉壁を前方に引き寄せた状態を表した要部の説明用拡大側面図である。
【図１４】従来のパレットにおける柱体の支持部分を表した説明用断面図である。
【図１５】上記支持形態において柱体の高さを長くするために単純に長い柱体を用いた場合に生じる問題点を現した説明用略図である。
【符号の説明】
【００５２】
１  底板
２  柱体支持用脚体
2ａ接続用突起
2ｂ縦長孔
2ｃ受け止め溝
３  載置用ソリ
４  柱体
4ａ案内用ピン
５  側壁材
７  開閉壁
7ａ下半部壁
7ｂ上半部壁
7ｃカンヌキ杆
7ｄ掛止め用突起片
7ｅ掛止め用凹溝金具
８  ガイド板
8ａ受け溝
8ｂカム用傾斜縁
9  ストッパーピン
10引っ掛け金具
10ａ水平杆部
11スリット片
12ストッパー枠
13抑止片
14ベルト挿通用金具
【図１】
0003157439.tif 000003
【図２】
0003157439.tif 000004
【図３】
0003157439.tif 000005
【図４】
0003157439.tif 000006
【図５】
0003157439.tif 000007
【図６】
0003157439.tif 000008
【図７】
0003157439.tif 000009
【図８】
0003157439.tif 000010
【図９】
0003157439.tif 000011
【図１０】
0003157439.tif 000012
【図１１】
0003157439.tif 000013
【図１２】
0003157439.tif 000014
【図１３】
0003157439.tif 000015
【図１４】
0003157439.tif 000016
【図１５】
0003157439.tif 000017